(57)【要約】【課題】複数光源の複数光ビームの列を感光体ドラムの副走査方向に対して傾斜させ、複数光ビームを同時に走査する画像形成装置において、より簡潔で安価な水平同期回路の異常等を検出する検出回路を提供する。【解決手段】複数光源の光ビームの列を副走査方向に対して傾斜させ、前記複数光ビームを同時に走査し、全光源が同時に点灯して１個のフォトセンサを走査して多重化された水平同期信号を生成する画像形成装置において、１個のフォトセンサから多重化されて出力された前記水平同期信号を各光ビームの走査に対応した水平同期信号に分離する分離回路と、前記分離回路で分離された水平同期信号から次の同じ光ビームの水平同期信号までの周期を継続して計時して水平同期信号の異常を検出する異常検出回路とを有し、前記異常検出回路は、光源の数にかかわらず前記分離回路で最後に分離された水平同期信号で起動する１個の計時回路であることを特徴とする。【選択図】図１
2004249620.tif 000002
【特許請求の範囲】
【請求項１】
複数光源の光ビームの列を副走査方向に対して傾斜させ、前記複数光ビームを同時に走査し、全光源が同時に点灯して１個のフォトセンサを走査して多重化された水平同期信号を生成する画像形成装置において、１個のフォトセンサから多重化されて出力された前記水平同期信号を各光ビームの走査に対応した水平同期信号に分離する分離回路と、前記分離回路で分離された水平同期信号から次の同じ光ビームの水平同期信号までの周期を継続して計時して水平同期信号の異常を検出する異常検出回路とを有し、前記異常検出回路は、光源の数にかかわらず前記分離回路で最後に分離された水平同期信号で起動する１個の計時回路であることを特徴とする画像形成装置。
【請求項２】
前記異常検出回路は、入力された水平同期信号で計時値を初期値に戻して再起動する計時回路で、かつ１個の起動に対して計時値が設定値まで達した後は単発の信号を出力して計時を完了する計数回路であることを特徴とする請求項１に記載の画像形成装置。
【請求項３】
前記分離回路は、多重化された水平同期信号のパルス数が数えられる計数回路を備え、前記計数回路で計数した光源の光ビーム数に対応した水平同期信号を生成する機能を持ったことを特徴とする請求項１に記載の画像形成装置。
【発明の詳細な説明】
【０００１】
【発明の属する技術分野】
本発明は、プリンタ、複写機等の画像形成装置に関し、特に、複数光源の複数光ビームの列を副走査方向に対して傾斜させ、複数光ビームを同時に走査し、１個の水平同期信号生成用のフォトセンサを各々の光ビーム毎に単独で走査して各々の光ビームに対する水平同期信号を連続に生成し、多重化された水平同期信号の生成周期を監視して、全光源の発光の異常を検出する異常検出回路に関するものである。
【０００２】
【従来の技術】
従来の画像形成装置の多重化された水平同期信号を分離する分離回路及び異常検出回路を、図１４、図１５、図１６を用いて説明する。
【０００３】
図１５において、７１は複数の光源を持つ半導体レーザアレイであるが、従来の複数の光源は１本の光源の半導体レーザを複数個用い、レンズやミラーなどを用いて集光していた。本例は４本の光源を持つ半導体レーザアレイ７１から同時に点灯した光ビームＢ１、Ｂ２、Ｂ３、Ｂ４が回転多面体ミラー７３で偏向され、フォトセンサ７２及び感光体ドラム７４上を走査している。光ビームＢ１、Ｂ２、Ｂ３、Ｂ４がフォトセンサ上を走査したとき水平同期信号が生成される。
【０００４】
図１６は、４本光源の４本の光ビーム列が、副走査方向に対して角度θ傾斜させ、感光体ドラム７４上を４本の光ビームが同時に走査している様子を示す模式図で光ビームＢ１に対して光ビームＢ２は遅れて走査している。同様に、光ビームＢ２に対して光ビームＢ３は遅れて走査している。また光ビームＢ４は光ビームＢ３に対して遅れて走査している。
【０００５】
図１４は、従来の水平同期信号生成回路における異常検出回路のブロック図である。３０は多重化された水平同期信号ＢＤを分離する分離回路、８１は前期分離回路で分離された水平同期信号ＢＤ１から次の水平同期信号ＢＤ１までの周期を継続して計時し回路の異常を検出する異常検出回路である。同様に、８２は水平同期信号ＢＤ２の異常を検出する異常検出回路である。８３は水平同期信号ＢＤ３の異常を検出する異常検出回路である。８４は水平同期信号ＢＤ４の異常を検出する異常検出回路である。
【０００６】
上記したように、１本の光源を持つ半導体レーザを用いて画像形成装置を構成する場合は、個々の半導体レーザの異常を検出することが従来の一般的な考えであった。
【０００７】
また、他の例として、複数光源の異常を検出するために１個の異常検出回路が提案されている（例えば、特許文献１参照。）。更に他の例として、水平同期信号許容範囲内での水平同期信号を計数する計数回路の異常検出回路が提案されている（例えば、特許文献２参照。）。
【特許文献１】
特開平１１−１７０６０４号公報
【特許文献２】
特開２０００−１１１８１７号公報
【０００８】
【発明が解決しようとする課題】
しかしながら、１本の光源を持つ半導体レーザを用いて画像形成装置を構成し、個々の半導体レーザの異常を検出する上記した異常検出回路では、画像形成装置の印刷速度を早くしたりや印刷品質を向上させようとして光源を増やすと、全光源の異常を検出しようとすると回路が大きくなり、コストが高くなるという問題があった。
【０００９】
また、特許文献１にあっては、分離回路で最後に分離される水平同期信号を使用すると限定していないため、最後に分離される水平同期信号以外の水平同期信号で検出すると、多重化された水平同期信号に異常が有っても、検出が１周期遅れることがある。このためエラー処理されるまでの長時間、最後の水平同期信号に対応する光源が発光し続けることがある。また、ページ印刷の最終走査に異常が有っても正常に処理されてしまう可能性があった。
【００１０】
更に、特許文献２にあっては、水平同期信号許容範囲を設定するためにタイマを２個必要とし、各々のレーザを強制発光させるためにタイマを必要とし、決して回路を最小限に抑えられるとは言えない。
【００１１】
本発明の目的は、安価で簡単な構成で水平同期信号の異常が発生した場合、直ちにかつ確実に検出できる異常検出回路を提供することである。
【００１２】
【発明が解決するための手段】
上記目的は、複数光源の光ビームの列を副走査方向に対して傾斜させ、前記複数光ビームを同時に走査し、全光源が同時に点灯して１個のフォトセンサを走査して多重化された水平同期信号を生成する画像形成装置において、１個のフォトセンサから多重化されて出力された前記水平同期信号を各光ビームの走査に対応した水平同期信号に分離する分離回路と、前記分離回路で分離された水平同期信号から次の同じ光ビームの水平同期信号までの周期を継続して計時して水平同期信号の異常を検出する異常検出回路とを有し、前記異常検出回路は、光源の数にかかわらず前記分離回路で最後に分離された水平同期信号で起動する１個の計時回路とすることによって達成される。
【００１３】
また、上記目的は、前記異常検出回路を、入力された水平同期信号で計時値を初期値に戻して再起動する計時回路で、かつ１個の起動に対して計時値が設定値まで達した後は単発の信号を出力して計時を完了する計数回路であることによって達成される。
【００１４】
更には、上記目的は、前記分離回路に、多重化された水平同期信号のパルス数が数えられる計数回路を備え、前記計数回路で計数した光源の光ビーム数に対応した水平同期信号を生成する機能を持たせることによって達成される。
【００１５】
【発明の実施の形態】
以下、本発明の一実施例を図１乃至図１３に基づいて説明する。本実施例では、
光源数を４個、光源に対応する光ビーム４本とする。図示しないが光ビームＢ１の光源はＬ１、光ビームＢ２の光源はＬ２、光ビームＢ３の光源はＬ３、光ビームＢ４の光源はＬ４を示す。
【００１６】
図１は、本発明で用いた多重化された水平同期信号を分離する分離回路および水平同期信号の異常を検出する異常検出回路のブロック図である。ＢＤは多重化された水平同期信号、ＣＬＫは計時用の基準クロック、３０は多重化された水平同期信号を分離する分離回路、２１は前記分離回路で最後に分離された水平同期信号から次の水平同期信号までの周期を継続して計時して水平同期信号の異常を検出する異常検出回路である。
【００１７】
図２は、本発明で用いた多重化された水平同期信号ＢＤを分離する分離回路３０及び水平同期信号の異常を検出する異常検出回路２１の回路図である。３１はクロック端子Ｔに入力されている信号の立ち下がりで計数するカウンタで、全光源数を計数することができ、クロック端子ＴにはＢＤが接続されている。カウンタ３１はＢＤを計数し、計数した数に応じて出力信号（ＣＴ１＿Ｑ１、ＣＴ１＿Ｑ０）を出力する。カウンタ３１の電源投入時の出力信号（ＣＴ１＿Ｑ１、ＣＴ１＿Ｑ０）の初期値は（０、０）で、立ち下がりのＢＤが入力される度に出力信号（ＣＴ１＿Ｑ１、ＣＴ１＿Ｑ０）は（０、１）（１、０）（１、１）と順に変化し、初期値（０、０）から（１、１）まで繰り返し計数する。
【００１８】
３２、３３、３４、３５は３入力ＡＮＤゲートで、多重化された水平同期信号ＢＤとカウンタ３１の出力信号（ＣＴ１＿Ｑ１、ＣＴ１＿Ｑ０）とが入力され、カウンタ３１の出力信号（ＣＴ１＿Ｑ１、ＣＴ１＿Ｑ０）が（０、０）のときにＢＤから水平同期信号ＢＤ１を、（０、１）のとき水平同期信号ＢＤ２を、（１、０）のとき水平同期信号ＢＤ３を、（１、１）のとき水平同期信号ＢＤ４を分離して出力する。カウンタ３１と３入力ＡＮＤゲート３２、３３、３４、３５とで多重化された水平同期信号ＢＤを分離する分離回路３０を構成する。
【００１９】
２１はゲート端子Ｇに入力されている信号の立ち上がりで起動して、クロック端子Ｔに入力されている信号の立ち上がりで計時するワンショット出力型のタイマで構成された異常検出回路で、ゲート端子Ｇには分離回路３０で最後に分離された水平同期信号ＢＤ４が接続されている。またクロック端子ＴにはＣＬＫが接続されている。異常検出回路２１は分離回路３０で分離された水平同期信号ＢＤ４の異常を検出する。
【００２０】
図１２は、正常に動作したワンショット出力型タイマのトリガ入力とパルス出力との関係を示すタイミングチャートである。ワンショット出力型タイマはゲート端子Ｇの信号が立ち上がると出力端子Ｑを“０”から“１”にセットし、計時値が設定値に達すると“０”にリセットする。
【００２１】
図１３は、カウントの途中に入力されたトリガ入力で、カウント値が初期化されて再起動したワンショット出力型タイマのパルス出力を示すタイミングチャートである。ワンショット出力型タイマは計時の途中にゲート端子Ｇの信号が再度立ち上がると、計時値を初期値に戻して再起動する。このときの出力端子Ｑは“１”のままである。
【００２２】
図３は、一走査周期における全光源の点灯と多重化された水平同期信号との関係を示すタイミングチャートである。光源Ｌ１、Ｌ２、Ｌ３、Ｌ４の駆動信号ＬＤ１、ＬＤ２、ＬＤ３、ＬＤ４が“１”のとき光源が点灯する。点灯した光源の光ビームがフォトセンサ７２（図１１参照）を走査すると、その光源に対する水平同期信号を出力する。フォトセンサ７２が光ビームを受光すると水平同期信号は“１”にセットされる。水平同期信号が出力されると対応する光源の駆動信号は“０”にリセットされ光源は消灯する。全光源の光ビームの列は同時に点灯してフォトセンサ７２を走査しても水平同期信号は重なることがないように、副走査方向に対して角度θ傾斜しているため多重化された水平同期信号ＢＤが生成される。Ｔは一光源の光ビームが走査する一周期を表す。Ｔ２はフォトセンサ７２を走査して水平同期信号を生成するために、最後に分離された水平同期信号から全光源を点灯させるまでの時間で、フォトセンサ７２から印刷領域を光ビームが走査する時間より長く、光ビームの一走査周期Ｔより短い。駆動信号ＬＤ１、ＬＤ２、ＬＤ３及びＬＤ４の斜線パターン部は画像形成装置の印刷可能領域を表す。
【００２３】
図４は、正常に多重化された水平同期信号ＢＤを分離する分離回路３０の動作を示すタイミングチャートである。ＣＴ１＿Ｑ１／Ｑ０は多重化された水平同期信号のパルス数が数えられるカウンタ３１（図２参照）の出力信号（ＣＴ１＿Ｑ１、ＣＴ１＿Ｑ０）の変化を表し、数字化したものである。出力信号（ＣＴ１＿Ｑ１、ＣＴ１＿Ｑ０）が（０、０）のときは“０”、（０、１）のときは“１”、（１、０）のときは“２”、（１、１）のときは“３”と表す。ここでは、カウンタ３１が正常に水平同期信号を計数すると、最後の水平同期信号を計数後、カウンタ３１の出力信号は（１、１）から（０、０）に戻る。カウンタ３１の出力信号が“０”のときに最初にフォトセンサ７２を走査する光ビームＢ１に対応した水平同期信号ＢＤ１が分離される。同様に、カウンタ３１の出力信号が“１”のときに二番目にフォトセンサ７２を走査する光ビームＢ２に対応した水平同期信号ＢＤ２が分離される。カウンタ３１の出力信号が“２”のときに三番目にフォトセンサ７２を走査する光ビームＢ３に対応した水平同期信号ＢＤ３が分離される。またカウンタ３１の出力信号が“３”のときに最後にフォトセンサ７２を走査する光ビームＢ４に対応した水平同期信号ＢＤ４が分離される。
【００２４】
図５は、多重化された水平同期信号ＢＤが異常なときの分離回路３０（図１、図１１参照）の動作を示すタイミングチャートである。ＢＤは三番目のパルスが異常で欠けている。そのため、多重化された水平同期信号ＢＤを計数するカウンタ３１は出力信号“３”で停止してしまう。カウンタ３１の出力信号が“０”のときに最初にフォトセンサ７２を走査する光ビームＢ１に対応した水平同期信号ＢＤ１が分離される。次に、カウンタ３１の出力信号が“１”のときに二番目にフォトセンサ７２を走査する光ビームＢ２に対応した水平同期信号ＢＤ２が分離される。カウンタ３１の出力信号が“２”のときに三番目にフォトセンサ７２を走査する光ビームＢ３に対応した水平同期信号は出力されず、代わりに最後にフォトセンサ７２を走査する光ビームＢ４に対応した水平同期信号がＢＤ３として分離される。カウンタ３１の出力信号が“３”のときに水平同期信号は出力されない。
【００２５】
図６は、正常に多重化された水平同期信号ＢＤが分離回路３０で分離され、最後に分離された水平同期信号ＢＤ４と異常検出回路２１であるタイマの関係を示すタイミングチャートである。異常検出回路２１の設定時間Ｔ１は光ビームの走査周期Ｔより長く、光ビームの走査周期Ｔと最初に分離される水平同期信号ＢＤ１から最後に分離される水平同期信号ＢＤ４までの時間Ｔ３との和より短い。ＴＭ１は異常検出回路２１の出力端子Ｑの信号である。
【００２６】
回転多面体ミラー７３の回転は定常回転数を維持している。また全光源とも正常に点灯しフォトセンサ７２を走査して多重化された水平同期信号ＢＤを生成している。異常検出回路２１は最後に分離された水平同期信号ＢＤ４で再起動され、カウント値が初期化され設定時間Ｔ１になることはなく、異常検出回路２１の出力信号ＴＭ１も“０”にならない。コントローラ１０へエラーも報告しない。
【００２７】
図７は、光源Ｌ１が発光しなかった場合の多重化された水平同期信号ＢＤと異常検出回路２１の関係を示すタイミングチャートである。光源Ｌ１の駆動信号ＬＤ１が“１”でも何らかの理由で光源Ｌ１は発光せず、光源Ｌ１の光ビームＢ１も生成されないのでフォトセンサを走査しない。光ビームＢ１に対応した水平同期信号も生成されない。しかし、その他の光源Ｌ２、Ｌ３、Ｌ４の駆動信号ＬＤ２、ＬＤ３、ＬＤ４は正常なので光ビームＢ２、Ｂ３、Ｂ４を生成しフォトセンサ７２を走査しそれぞれの光ビームに対応した水平同期信号を生成する。多重化された水平同期信号ＢＤは３個のパルス信号であるから、分離回路のカウンタ３１は３までカウントとし、多重化された水平同期信号ＢＤから３個の水平同期振動は分離できる。最後（四番目）の水平同期信号ＢＤ４は生成されないので、タイマ２１のゲート端子Ｇの水平同期信号ＢＤ４によって再起動がかからず、設定時間Ｔ１までカウントして出力信号ＴＭ１を“０”にリセットする。ＴＭ１が“０”にリセットされることでコントローラ１０にエラーが報告される。
【００２８】
図８は、光源Ｌ２が発光しなかった場合の多重化された水平同期信号ＢＤと異常検出回路２１の関係を示すタイミングチャートである。光源Ｌ２の駆動信号ＬＤ２が“１”でも何らかの理由で光源Ｌ２は発光せず、光源Ｌ２の光ビームＢ２も生成されないのでフォトセンサ７２を走査しない。光ビームＢ２に対応した水平同期信号も生成されない。しかし、その他の光源Ｌ１、Ｌ３、Ｌ４の駆動信号ＬＤ１、ＬＤ３、ＬＤ４は正常なので光ビームＢ１、Ｂ３、Ｂ４を生成しフォトセンサ７２を走査しそれぞれの光ビームに対応した水平同期信号を生成する。多重化された水平同期信号ＢＤは３個のパルス信号であるから、分離回路３０のカウンタ３１は３までカウントとし、多重化された水平同期信号ＢＤから３個の水平同期振動は分離できる。最後（四番目）の水平同期信号ＢＤ４は生成されないので、異常検出回路２１のゲート端子Ｇの水平同期信号ＢＤ４によって再起動がかからず、設定時間Ｔ１までカウントして出力信号ＴＭ１を“０”にリセットする。ＴＭ１が“０”にリセットされることでコントローラ１０にエラーが報告される。
【００２９】
図９は、光源Ｌ３が発光しなかった場合の多重化された水平同期信号ＢＤと異常検出回路２１の関係を示すタイミングチャートである。光源Ｌ３の駆動信号ＬＤ３が“１”でも何らかの理由で光源Ｌ３は発光せず、光源Ｌ３の光ビームＢ３も生成されないのでフォトセンサ７２を走査しない。光ビームＢ３に対応した水平同期信号も生成されない。しかし、その他の光源Ｌ１、Ｌ２、Ｌ４の駆動信号ＬＤ１、ＬＤ２、ＬＤ４は正常なので光ビームＢ１、Ｂ２、Ｂ４を生成しフォトセンサ７２を走査しそれぞれの光ビームに対応した水平同期信号を生成する。多重化された水平同期信号ＢＤは３個のパルス信号であるから、分離回路３０のカウンタ３１は３までカウントとし、多重化された水平同期信号ＢＤから３個の水平同期振動は分離できる。最後（四番目）の水平同期信号ＢＤ４は生成されないので、異常検出回路２１のゲート端子Ｇの水平同期信号ＢＤ４によって再起動がかからず、設定時間Ｔ１までカウントして出力信号ＴＭ１を“０”にリセットする。ＴＭ１が“０”にリセットされることでコントローラ１０にエラーが報告される。
【００３０】
図１０は、光源Ｌ４が発光しなかった場合の多重化された水平同期信号ＢＤと異常検出回路２１の関係を示すタイミングチャートである。光源Ｌ４の駆動信号ＬＤ４が“１”でも何らのか理由で、光源Ｌ４は発光せず、光源Ｌ４の光ビームＢ４も生成されないのでフォトセンサ７２を走査しない。光ビームＢ４に対応した水平同期信号も生成されない。しかし、その他の光源Ｌ１、Ｌ２、Ｌ３の駆動信号ＬＤ１、ＬＤ２、ＬＤ３は正常なので光ビームＢ１、Ｂ２、Ｂ３を生成しフォトセンサ７２を走査しそれぞれの光ビームに対応した水平同期信号を生成する。多重化された水平同期信号ＢＤは３個のパルス信号であるから、分離回路３０のカウンタ３１は３までカウントとし、多重化された水平同期信号ＢＤから３個の水平同期振動は分離できる。最後（四番目）の水平同期信号ＢＤ４は生成されないので、異常検出回路２１のゲート端子Ｇの水平同期信号ＢＤ４によって再起動がかからず、設定値までカウントして出力信号ＴＭ１を“０”にリセットする。ＴＭ１が“０”にリセットされることでコントローラ１０にエラーが報告される。
【００３１】
この様に分離回路３０で最後に分離される水平同期信号ＢＤ４を異常検出回路２１に入力すれば、複数の光源にもかかわらず発光不良を検出できる。どの光源が不良なのかは判断できないが、半導体レーザアレイが光源に用いられる事例では、基本的には故障箇所を特定する必要はない。
【００３２】
図１１は、本発明を用いた画像形成装置のブロック図である。１０はコントローラで、上位ホストからの印刷情報を画像データ化（ＶＤ１、ＶＤ２、ＶＤ３、ＶＤ４）して光源Ｌ１、Ｌ２、Ｌ３、Ｌ４を駆動する。２０はエンジン制御用マイコンで、コントローラ１０からの指示にしたがって露光、現像、転写、定着などの電子写真プロセス及びエンジン全体を制御する。異常検出回路２１はエンジン制御用マイコン２０に内蔵された、分離回路３０で最後に分離された水平同期信号ＢＤ４で再起動される。水平同期信号が異常の場合は、異常検出回路２１の出力信号ＴＭ１を“０”にリセットしてコントローラ１０にエラーを報告する。４０はＢＤ走査用レーザ駆動回路で、光源Ｌ１、Ｌ２、Ｌ３、Ｌ４の各々の駆動回路で構成されている。異常検出回路２１の出力信号ＴＭ２で、ＢＤ走査用レーザ駆動回路レーザ駆動回路４０は光源Ｌ１、Ｌ２、Ｌ３、Ｌ４を点灯し、分離回路３０で光源に対応する水平同期信号が分離されたら各々の駆動回路をリセットして各光源を消灯させる。６１、６２、６３、６４は２入力ＯＲゲート、コントローラから画像データＶＤ１、ＶＤ２、ＶＤ３、ＶＤ４と光源の駆動信号ＢＤ１＿ＳＣ、ＢＤ２＿ＳＣ、ＢＤ３＿ＳＣ、ＢＤ４＿ＳＣをレーザドライバ５１、５２、５３、５４に提供する。レーザドライバ５１、５２、５３、５４は半導体レーザアレイ７１内の光源Ｌ１、Ｌ２、Ｌ３、Ｌ４を直接駆動する。点灯した光源のＬ１、Ｌ２、Ｌ、Ｌ４の光ビームＢ１、Ｂ２、Ｂ３、Ｂ４がフォトセンサ７２を走査して、多重化された水平同期信号ＤＢを生成する。この様に、マイコン内臓のタイマを用いれば分離回路３０のみの簡単な構成で水平同期信号の異常検出回路２１を構成できる。
【００３３】
【発明の効果】
以上のように、本発明によれば、複数光源の光ビームの列を副走査方向に対して傾斜させ、前記複数光ビームを同時に走査する画像形成装置の全光源が同時に点灯して１個のフォトセンサを走査して多重化された水平同期信号を生成する画像形成装置の水平同期信号の異常検出回路が安価で簡単な構成で提供することが出来る。
【図面の簡単な説明】
【図１】本発明の一実施例を示す分離回路及び異常検出回路のブロック図。
【図２】本発明の一実施例を示す分離回路及び異常検出回路の回路図。
【図３】一走査周期における全光源の点灯と多重化された水平同期信号との関係を示すタイミングチャート。
【図４】本発明の一実施例を示す分離回路のタイミングチャート。
【図５】本発明の一実施例を示す分離回路のタイミングチャート。
【図６】正常に生成された水平同期信号と異常検出回路であるタイマの関係を示すタイミングチャート。
【図７】本発明の一実施例である光源ＬＤ１が発光しなかった場合の多重化された水平同期信号と異常検出回路との関係を示すタイミングチャート。
【図８】本発明の一実施例である光源ＬＤ２が発光しなかった場合の多重化された水平同期信号と異常検出回路との関係を示すタイミングチャート。
【図９】本発明の一実施例である光源ＬＤ３が発光しなかった場合の多重化された水平同期信号と異常検出回路との関係を示すタイミングチャート。
【図１０】本発明の一実施例である光源ＬＤ４が発光しなかった場合の多重化された水平同期信号と異常検出回路との関係を示すタイミングチャート。
【図１１】本発明を用いた画像形成装置のブロック図。
【図１２】ワンショット出力型タイマのトリガ入力とパルス出力との関係を示すタイミングチャート。
【図１３】ワンショット出力型タイマのトリガ入力とパルス出力の関係を示すタイミングチャート。
【図１４】従来の分離回路及び異常検出回路のブロック図。
【図１５】本発明が適用される画像形成装置を説明する斜視図。
【図１６】感光体ドラム上を光ビームが走査している様子を示す模式図。
【符号の説明】
７１は半導体レーザアレイ、７２はフォトセンサ、７３は回転多面体ミラー、７４は感光体ドラム、３０は分離回路、２１、８１、８２、８３、８４は異常検出回路、３１はカウンタ、３２、３３、３４、３５はＡＮＤゲート、４０はＢＤ走査用駆動回路、１０はコントローラ、２０はエンジン制御用マイコン、５１、５２、５３、５４はレーザドライバ、６１、６２、６３、６４はＯＲゲートである。
【図１】
2004249620.tif 000003
【図２】
2004249620.tif 000004
【図３】
2004249620.tif 000005
【図４】
2004249620.tif 000006
【図５】
2004249620.tif 000007
【図６】
2004249620.tif 000008
【図７】
2004249620.tif 000009
【図８】
2004249620.tif 000010
【図９】
2004249620.tif 000011
【図１０】
2004249620.tif 000012
【図１１】
2004249620.tif 000013
【図１２】
2004249620.tif 000014
【図１３】
2004249620.tif 000015
【図１４】
2004249620.tif 000016
【図１５】
2004249620.tif 000017
【図１６】
2004249620.tif 000018